(57)【特許請求の範囲】
【請求項１】
弁本体は略洋杯状の弁操作体と、管状の弁切替体と、連結環と、からなり、弁切替体の一端部には連結環嵌合孔を設け、該弁切替体の一端部側又は弁操作体の一端部側周壁には弁本体に洗浄水を送る流入開口部を設け、弁切替体の他端部側周壁には洗浄水噴出装置１用吐水管路開口部を設け、該弁切替体の他端部には洗浄水噴出装置２用吐水管路開口部部材との嵌合孔を設けて洗浄水噴出装置２用吐水管路開口部部材を嵌合し、弁操作体の一端部には連結環嵌合孔を設け、弁操作体の他端部側周壁には洗浄水噴出装置３用吐水管路開口部を設け、該弁操作体の他端部には回動杆の一端部に圧縮型環状封密弾性体を環装して該弁操作体の他端部を貫装し該弁操作体から接離動しないで規定角度範囲内で回動する回動杆を設け、弁本体内周壁には回動杆と節付円筒杆とからなるスプール弁を設けたものにおいて、該回動杆の一端部の回動により、該回動杆の他端部に設けられた突起が節付円筒杆内壁に設けられた螺旋形凹溝を摺動して複数の圧縮型環状封密弾性体を環装した該節付円筒杆が弁本体内を回動杆方向に往復移動することで、洗浄水噴出装置１への洗浄水送水、洗浄水噴出装置２への洗浄水送水、洗浄水噴出装置３への洗浄水送水の３段階切替操作ができる弁本体を有することを特徴とする洗浄水噴出装置用四方弁。
【請求項２】
電動機で回動杆の一端部を回動駆動することを特徴とする請求項１記載の洗浄水噴出装置用四方弁。
【請求項３】
槓杆で回動杆の一端部を回動駆動することを特徴とする請求項１記載の洗浄水噴出装置用四方弁。
【請求項４】
弁切替体の一端部側又は弁操作体の一端部側内周壁に設けられた流入開口部の貫通孔はスプール弁の圧縮型環状封密弾性体に傷を付けないように面取りされたことを特徴とする請求項１記載の洗浄水噴出装置用四方弁。
【請求項５】
請求項４記載の面取りを可能とするために、弁本体を弁操作体と弁切替体とに分割形成したことを特徴とする請求項１記載の洗浄水噴出装置用四方弁。
【請求項６】
連結環内周壁の周縁部はスプール弁の圧縮型環状封密弾性体に傷を付けないように面取りされたことを特徴とする請求項１記載の洗浄水噴出装置用四方弁。
【請求項７】
弁操作体で回動杆の一端部を回動軸支することを特徴とする請求項１記載の洗浄水噴出装置用四方弁。
【請求項８】
洗浄水噴出装置２用吐水管路開口部部材で節付円筒杆を摺動軸支することを特徴とする請求項１記載の洗浄水噴出装置用四方弁。
【請求項９】
回動杆と節付円筒杆とが空気中と水中の両方で摺動できることを特徴とする請求項１記載の洗浄水噴出装置用四方弁。
【請求項１０】
回動杆と節付円筒杆との水中摺動の耐久性向上のために、回動杆を炭素繊維入りポリアセタール樹脂で形成したことを特徴とする請求項１記載の洗浄水噴出装置用四方弁。
【請求項１１】
待機時は流入開口部から送られる洗浄水が常に洗浄水噴出装置１にいくように、電動機又は槓杆を回動しスプール弁を移動しておくことを特徴とする請求項１記載の洗浄水噴出装置用四方弁。
【請求項１２】
待機時は流入開口部から送られる洗浄水が常に洗浄水噴出装置２にいくように、電動機又は槓杆を回動しスプール弁を移動しておくことを特徴とする請求項１記載の洗浄水噴出装置用四方弁。
【請求項１３】
待機時は流入開口部から送られる洗浄水が常に洗浄水噴出装置３にいくように、電動機又は槓杆を回動しスプール弁を移動しておくことを特徴とする請求項１記載の洗浄水噴出装置用四方弁。
【発明の詳細な説明】
【０００１】
【発明の属する技術分野】
本発明は、局部洗浄装置の複数の洗浄水噴出装置（ノズル）に洗浄水（原水〔水道水又は井戸水等〕を直接〔電磁式給水弁等を経由する場合が多い。〕又はタンク等の貯水槽から給水し、常温水又は温水を人体の一部に放水するための水〔浄水、軟水、薬剤含有水、弱酸性電解水等を含む。〕をいう。）を切替えて送水する洗浄水噴出装置用四方弁に係るものであり、詳しくは肛門用洗浄水噴出装置、局部（ビデ）用洗浄水噴出装置、前洗浄用洗浄水噴出装置（例えば、肛門用洗浄水噴出装置、局部用洗浄水噴出装置のノズル孔等を洗浄する洗浄水噴出装置、或いは最初の冷えた温水が局部洗浄に適した温水になるまで捨水をする配管等をいう。）に洗浄水を切替えて送水できるスプール弁方式の電動式又は手動式四方弁に関する。
【０００２】
【従来の技術】
従来は直動弁方式の電磁式三方弁を一つ使用して肛門用洗浄水噴出装置、局部用洗浄水噴出装置に洗浄水を切替えて送水する局部洗浄装置が主流であったが、最近は肛門用洗浄水噴出装置、局部用洗浄水噴出装置の使用前に先ず前記洗浄水噴出装置（又はノズル孔等）を洗浄する前洗浄ができる局部洗浄装置が要望されるようになってきている。
そこで、直動弁方式の電磁式三方弁を二つ使用して肛門用洗浄水噴出装置、局部用洗浄水噴出装置、前洗浄用洗浄水噴出装置に洗浄水を切替えて送水する局部洗浄装置や、ディスク弁方式の電動式四方弁による肛門用洗浄水噴出装置、局部用洗浄水噴出装置、前洗浄用洗浄水噴出装置に洗浄水を切替えて送水する局部洗浄装置も登場してきている。
【０００３】
【発明が解決しようとする課題】
しかしながら、直動弁方式の電磁式三方弁を二つ使用していては、コスト高になり、ディスク弁方式の電動式四方弁では洗浄水の切替不良等の水密性、故障等の信頼性等に問題点があった。
【０００４】
本発明は、従来の技術の有するこのような問題点を鑑みてなされたものであり、その目的とするところは、コスト、水密性及び信頼性が改善できるスプール弁方式の電動式又は手動式四方弁を提供しようとするものである。
【０００５】
【課題を解決するための手段】
上記目的を達成するために、本発明の洗浄水噴出装置用四方弁は以下の特徴を有する。
構成（ハード）的には、略洋杯（コップ）状の弁操作体の一端部と管状の弁切替体の一端部とを連結環で結合（連結環に圧縮型環状封密弾性体〔例えば、Ｏリング、Ｘリング、Ｖパッキン等、水密性が確保できる部材〕を環装して水密性を確保する。）した弁本体と、一つの開口部を有する該弁切替体の他端部嵌合部材（洗浄水噴出装置２用吐水管路開口部部材）と、該弁本体周壁に設けられた三つの開口部と、該弁本体内を摺動（往復移動）し回動杆と節付円筒杆とからなるスプール弁と、該回動杆を回動駆動する電動機（減速機付きモータが扱いやすい。）と、からなることを特徴とする。
【０００６】
或いは、略洋杯状の弁操作体の一端部と管状の弁切替体の一端部とを連結環で結合した弁本体と、一つの開口部を有する該弁切替体の他端部嵌合部材と、該弁本体周壁に設けられた三つの開口部と、該弁本体内を摺動し回動杆と節付円筒杆とからなるスプール弁と、該回動杆を回動駆動する槓杆（手動レバー）と、からなることを特徴とする。
【０００７】
詳しくは、弁本体は略洋杯状の弁操作体と、管状の弁切替体と、連結環と、からなり、弁切替体の一端部には連結環嵌合孔を設け、該弁切替体の一端部側又は弁操作体の一端部側周壁には弁本体に洗浄水を送る流入開口部を設け、弁切替体の他端部側周壁には洗浄水噴出装置１用吐水管路開口部を設け、該弁切替体の他端部には洗浄水噴出装置２用吐水管路開口部部材との嵌合孔を設けて洗浄水噴出装置２用吐水管路開口部部材を嵌合し、弁操作体の一端部には連結環嵌合孔を設け、弁操作体の他端部側周壁には洗浄水噴出装置３用吐水管路開口部を設け、該弁操作体の他端部には回動杆の一端部に圧縮型環状封密弾性体（例えば、Ｏリング、Ｘリング、Ｖパッキン等、水密性が確保できる部材）を環装して該弁操作体の他端部を貫装し該弁操作体から接離動しないで規定角度範囲内（例えば、２７０度）で回動する回動杆を設け、弁本体内周壁には回動杆と節付円筒杆とからなるスプール弁を設けたものにおいて、該回動杆の一端部の回動により、該回動杆の他端部に設けられた突起が節付円筒杆内壁に設けられた螺旋形凹溝（雌螺子又はナット部材等の螺子溝でも可能。）を摺動して複数の圧縮型環状封密弾性体を環装した該節付円筒杆が弁本体内を回動杆方向に往復移動することで、洗浄水噴出装置１への洗浄水送水、洗浄水噴出装置２への洗浄水送水、洗浄水噴出装置３への洗浄水送水の３段階切替操作ができる弁本体を有することを特徴とする。
流入開口部並びに洗浄水噴出装置用吐水管路開口部〔三つ〕の開口方向等は局部洗浄装置等の仕様により合わせると良い。
【０００８】
そして、上記弁本体において、操作スイッチ等による洗浄水噴出操作要求を自動で３段階切替操作ができるように、電動機で回動杆の一端部を回動駆動することを特徴とする。
節付円筒杆の任意位置には磁石等を埋設し、弁本体の任意位置には磁気検出装置を配設して、各々の洗浄水噴出装置用吐水管路開口部〔三つ〕に正確に移動停止させると良い。
【０００９】
或いは、上記弁本体において、電気を使用しないで（手動で）３段階切替操作ができるように、槓杆で回動杆の一端部を回動駆動することを特徴とする。
【００１０】
細部においては、弁切替体の一端部側又は弁操作体の一端部側内周壁に設けられた流入開口部の貫通孔はスプール弁の圧縮型環状封密弾性体に傷を付けないように面取りされたことを特徴とする。
【００１１】
前記の面取りを可能とするために、弁本体を弁操作体と弁切替体とに分割形成したことを特徴とする。
【００１２】
又、連結環内周壁の周縁部はスプール弁の圧縮型環状封密弾性体に傷を付けないように面取りされたことを特徴とする。
【００１３】
従来は回動杆と節付円筒杆とが空気中で摺動しているスプール弁のものが多いが、おおきな摺動Ｏリングを環装した節付円筒杆で水密していて水密性等に問題があるので、それを改善するために、弁操作体で回動杆の一端部を回動軸支することを特徴とする。
【００１４】
そして、洗浄水噴出装置２用吐水管路開口部部材で節付円筒杆を摺動軸支することを特徴とする。
【００１５】
又、回動杆と節付円筒杆とが空気中と水中の両方で摺動できることを特徴とする。
【００１６】
詳しくは、回動杆と節付円筒杆との水中摺動の耐久性向上のために、回動杆を炭素繊維入りポリアセタール樹脂で形成したことを特徴とする。
【００１７】
作用（ソフト）的には、待機時は流入開口部から送られる洗浄水が常に洗浄水噴出装置１（肛門用洗浄水噴出装置）にいくように、電動機又は槓杆を回動しスプール弁を移動しておくことを特徴とする。
【００１８】
又は、待機時は流入開口部から送られる洗浄水が常に洗浄水噴出装置２（例えば、前洗浄用洗浄水噴出装置）にいくように、電動機又は槓杆を回動しスプール弁を移動しておくことを特徴とする。
【００１９】
或いは、待機時は流入開口部から送られる洗浄水が常に洗浄水噴出装置３（局部用洗浄水噴出装置）にいくように、電動機又は槓杆を回動しスプール弁を移動しておくことを特徴とする。
【００２０】
【発明の実施の形態】
発明の実施の形態について図面を参照して説明する。
図１は本発明の一実施例の洗浄水噴出装置用電動式四方弁１０の定位置１（流入開口部４２から送られる洗浄水が洗浄水噴出装置２に送水されるスプール弁７０の移動停止位置）の時の平面断面図であり、図２は四方弁１０の定位置２（流入開口部４２から送られる洗浄水が洗浄水噴出装置１に送水されるスプール弁７０の移動停止位置）の時の平面断面図であり、図３は四方弁１０の定位置３（流入開口部４２から送られる洗浄水が洗浄水噴出装置３に送水されるスプール弁７０の移動停止位置）の時の平面断面図である。
図４は本発明の一実施例の洗浄水噴出装置用電動式四方弁１０の定位置１の時の背面断面図であり、図５は四方弁１０の定位置２の時の背面断面図であり、図６は四方弁１０の定位置３の時の背面断面図である。
【００２１】
洗浄水噴出装置用電動式四方弁１０は、略洋杯（コップ）状の弁操作体３０（例えば、ポリアセタール樹脂）の一端部と管状の弁切替体４０（例えば、ポリアセタール樹脂）の一端部とを連結環５０（例えば、ポリアセタール樹脂）で結合（連結環５０に圧縮型環状封密弾性体５１〔例えば、Ｏリング、Ｘリング、Ｖパッキン等、水密性が確保できる部材〕を環装して水密性を確保する。）した弁本体２０と、一つの開口部６１を有する該弁切替体４０の他端部嵌合部材６０（洗浄水噴出装置２用吐水管路開口部部材６０を示す。）と、該弁本体２０周壁に設けられた三つの開口部３２、４２、４３と、該弁本体２０内を摺動し回動杆７１（例えば、ポリアセタール樹脂）と節付円筒杆７４（例えば、ポリアセタール樹脂）とからなるスプール弁７０と、該回動杆７１を回動駆動する電動機８０（減速装置付きのものが良い。）と、からなるようにした。
参考ではあるが、通常は回動杆と節付円筒杆とが空気中で摺動しているスプール弁のものが多いが、おおきな摺動Ｏリングを環装した節付円筒杆で水密していて水密性等に問題があるので、本発明の構造のものが望ましい。
【００２２】
図１１は本発明の他実施例の洗浄水噴出装置用手動式四方弁１２の定位置１（流入開口部４２から送られる洗浄水が洗浄水噴出装置２に送水されるスプール弁７０の移動停止位置）の時の平面断面図である。
洗浄水噴出装置用手動式四方弁１２は、略洋杯状の弁操作体３０の一端部と管状の弁切替体４０の一端部とを連結環５０で結合（連結環５０に圧縮型環状封密弾性体５１を環装して水密性を確保する。）した弁本体２０と、一つの開口部６１を有する該弁切替体４０の他端部嵌合部材６０（例えば、ポリアセタール樹脂）と、該弁本体２０周壁に設けられた三つの開口部３２、４２、４３と、該弁本体２０内を摺動し回動杆７１と節付円筒杆７４とからなるスプール弁７０と、該回動杆７１を回動駆動する槓杆９０（手動レバー）と、からなるようにした。
【００２３】
詳しくは、弁本体２０は略洋杯状の弁操作体３０と、管状の弁切替体４０と、連結環５０と、からなり、弁切替体４０の一端部には連結環嵌合孔４１を設け、該弁切替体４０の一端部側又は弁操作体３０の一端部側周壁には弁本体２０に洗浄水を送る流入開口部４２（例えば、ホース等の配管部材が結合できる形状にすると良い。）を設け、弁切替体４０の他端部側周壁には洗浄水噴出装置１用吐水管路開口部４３を設け、該弁切替体４０の他端部には洗浄水噴出装置２用吐水管路開口部部材６０との嵌合孔４４を設けて洗浄水噴出装置２用吐水管路開口部部材６０を嵌合し、弁操作体３０の一端部には連結環嵌合孔３１を設け、弁操作体３０の他端部側周壁には洗浄水噴出装置３用吐水管路開口部３２を設け、該弁操作体３０の他端部には回動杆７１の一端部に圧縮型環状封密弾性体７３（例えば、Ｏリング、Ｘリング、Ｖパッキン）を環装して該弁操作体３０の他端部を貫装（Ｅリング７７〔抜止具〕等で回動杆７１の抜止めをすると良い。）し該弁操作体３０から接離動しないで規定角度範囲内で回動する回動杆７１を設け、弁本体２０内周壁には回動杆７１と節付円筒杆７４とからなるスプール弁７０を設けたもので、該回動杆７１の一端部の回動により、該回動杆７１の他端部に設けられた突起７２が節付円筒杆７４内壁に設けられた螺旋形凹溝７５を摺動して複数の圧縮型環状封密弾性体７６を環装した該節付円筒杆７４が弁本体２０内を回動杆７１方向に往復移動することで、洗浄水噴出装置１（肛門用洗浄水噴出装置１１０）への洗浄水送水、洗浄水噴出装置２（洗浄水噴出装置２用吐水管路開口部６２又は前洗浄用洗浄水噴出装置１２０）への洗浄水送水、洗浄水噴出装置３（局部用洗浄水噴出装置１３０）への洗浄水送水の３段階切替操作ができるようにした。
生産性及び耐久性向上のために、回動杆７１の突起７２、螺旋形凹溝７５、各々の圧縮型環状封密弾性体等にはグリス等を塗布しておくと良い。
【００２４】
そして、上記弁本体２０において、操作スイッチ等による洗浄水噴出操作要求を自動で３段階切替操作を行うため、電動機８０で回動杆７１の一端部が回動駆動できるように、電動機８０には駆動ギヤ８１（例えば、ナイロン樹脂）を設け、回動杆７１の一端部には従動ギヤ８２（例えば、ナイロン樹脂）を設け、固定螺子８３（例えば、ステンレス製タッピングネジ）で固着したものが、洗浄水噴出装置用電動式四方弁１０である。
耐久性向上のために、各々のギヤ、Ｅリング７７〔抜止具〕等にはグリス（例えば、シリコン）等を塗布しておくと良い。
又、該電動機８０（減速装置等も含む。）等には、湿度や臭素（アンモニア等）から保護するために、防水カバー等で囲繞させると良い。
【００２５】
スプール弁７０が各々の洗浄水噴出装置用吐水管路開口部〔三つ〕に正確に移動停止（繰返精度を向上）するために、一例として、光学的（光電式）エンコーダ（例えば、シャフト・エンコーダ、ロータリ・エンコーダ）等を内蔵した減速機付き電動機８０、減速機付きステッピングモータ等を使用すると良い。
又は、スプール弁７０の任意位置には磁石等を埋設し、弁本体２０の任意位置には磁気検出装置を配設して、スプール弁７０を各々の洗浄水噴出装置用吐水管路開口部〔三つ〕に正確に移動停止させると良い。
該磁気検出装置（磁性感動素子）には、例えば、リードスイッチ、ホールＩＣ、磁気抵抗、コイル等があり、通常はガラス管封入形リードコンタクト式の常時開路接点（ａ接点又はメーク接点ともいう。）のリードスイッチが多用されている。コスト及び形状的にはホールＩＣが有利な場合もある。
【００２６】
参考ではあるが、洗浄水噴出装置用電動式四方弁１０には止水機能が無いので、流入開口部４２の前（前段）には洗浄水を止水する止水弁（電磁式給水弁）等が必要である。又、ゴミや異物等があると、圧縮型環状封密弾性体等に傷を付けやすいので、流入開口部４２の前（前段）には洗浄水のゴミや異物等をフィルタ、ストレーナ等で除去しておくことが必要である。
洗浄水の吐水流量をダイヤル等で任意に調節する場合は、流量調節装置等を流入開口部４２の前（前段）に設けると良い。
【００２７】
或いは、上記弁本体２０において、電気を使用しないで（手動で）３段階切替操作を行うため、槓杆９０（例えば、ＡＢＳ樹脂）で回動杆７１の一端部が回動駆動できるように、回動杆７１の一端部には槓杆９０を設け、固定螺子９１（例えば、ステンレス製タッピングネジ）で固着し、小さめの螺子蓋９２（例えば、ＡＢＳ樹脂）で蓋をしたものが、洗浄水噴出装置用手動式四方弁１２である。
【００２８】
参考ではあるが、洗浄水噴出装置用手動式四方弁１２には止水機能が無いので、流入開口部４２の前（前段）には洗浄水を止水する止水弁機構等が必要である。電気を使用しない局部洗浄装置等においては、槓杆９０の回動に連動して止水弁機構等を開閉する回動伝達機構等を設けると良い。又、ゴミや異物等があると、圧縮型環状封密弾性体等に傷を付けやすいので、流入開口部４２の前や、止水弁等を開閉する機構等にはフィルタ、ストレーナ等を設け、洗浄水のゴミや異物等を除去することが必要である。
洗浄水の吐水流量をダイヤル等で任意に調節する場合は、流量調節装置等を流入開口部４２の前（前段）に設けると良い。
又、スムーズなクリック感（槓杆の回動と共に、カチッ、カチッと規定の位置でロックするような感触。）を得るために、一例として、弁操作体３０端面に複数の凹部を設け、槓杆９０にローラ（例えば、真鍮）と円板状板バネ（例えば、ステンレス鋼板）とを螺子（例えば、ステンレス製タッピングネジ）で取り付け、該凹部と該ローラを摺動させると良い。そして、この機構が外部から見えないように、槓杆９０には大きめの槓杆カバー９３（例えば、ＡＢＳ樹脂）を嵌めると良い。
【００２９】
細部においては、弁切替体４０の一端部側又は弁操作体３０の一端部側内周壁に設けられた流入開口部４２の貫通孔はスプール弁７０の圧縮型環状封密弾性体７６に傷を付けないように面取りした。
こうすることにより、圧縮型環状封密弾性体７６の耐久性が１０〜５０倍以上も違ってくるので、是非面取りすることを薦める。
【００３０】
前記の面取りを可能とするために、弁本体２０を弁操作体３０と弁切替体４０とに分割形成したものである。
【００３１】
又、連結環５０内周壁の周縁部はスプール弁７０の圧縮型環状封密弾性体７６に傷を付けないように面取りした。
【００３２】
従来は回動杆と節付円筒杆とが空気中で摺動しているスプール弁のものが多いが、おおきな摺動Ｏリングを環装した節付円筒杆で水密していて水密性等に問題があるので、それを改善するために、弁操作体３０で回動杆７１の一端部を回動軸支し、洗浄水噴出装置２用吐水管路開口部部材６０で節付円筒杆７４を摺動軸支する（スプール弁７０の両端部で軸支するとガタツキ等が少なくなる。）ようにした。
生産性及び耐久性向上のために、軸支部分や圧縮型環状封密弾性体等にはグリス（例えば、ワセリン）等を塗布しておくと良い。
【００３３】
又、回動杆７１と節付円筒杆７４とが空気中と水中の両方で摺動できるように、射出成形樹脂部材を吟味した。回動杆７１と節付円筒杆７４とは、通常は互いに異質の射出成形樹脂部材で形成すると良いのだが、やむをえず、例えば、同質のポリアセタール樹脂等を使用する場合がある。しかし、同質部材では信頼性試験等における繰返往復摺動回数は５万回が限度となっている場合が多い。
【００３４】
詳しくは、回動杆７１と節付円筒杆７４との水中摺動の耐久性向上のために、回動杆７１を炭素繊維入りポリアセタール樹脂で形成した。これにより、飛躍的に耐久性が向上し、信頼性試験等における繰返往復摺動回数は５０万回以上もクリアしている。
【００３５】
作用（ソフト）的には、待機時は流入開口部４２から送られる洗浄水が常に洗浄水噴出装置１（肛門用洗浄水噴出装置１１０）にいくように、電動機８０又は槓杆９０を回動しスプール弁７０を移動（定位置２）しておくと良い。
こうすることにより、例えば、最初の冷えた温水が局部洗浄に適した温水になるまで洗浄水噴出装置１から捨水をすることができる。
【００３６】
又は、待機時は流入開口部４２から送られる洗浄水が常に洗浄水噴出装置２（洗浄水噴出装置２用吐水管路開口部６２又は前洗浄用洗浄水噴出装置１２０）にいくように、電動機８０又は槓杆９０を回動しスプール弁７０を移動（定位置１）しておくと良い。
こうすることにより、例えば、最初の冷えた温水が局部洗浄に適した温水になるまで洗浄水噴出装置２から捨水をすることができる。
又、操作スイッチ等による洗浄水噴出操作要求と同時に、肛門用洗浄水噴出装置、局部用洗浄水噴出装置のノズル孔等を洗浄することができる。
【００３７】
或いは、待機時は流入開口部４２から送られる洗浄水が常に洗浄水噴出装置３（局部用洗浄水噴出装置１３０）にいくように、電動機８０又は槓杆９０を回動しスプール弁７０を移動（定位置３）しておくと良い。
こうすることにより、例えば、最初の冷えた温水が局部洗浄に適した温水になるまで洗浄水噴出装置３から捨水をすることができる。
【００３８】
図７は一例の既存のノズルユニット１００（肛門用洗浄水噴出装置１１０及び局部用洗浄水噴出装置１３０）の平面図である。
図８は一例の既存のノズルユニット１００に本発明の一実施例の洗浄水噴出装置用電動式四方弁１０（定位置１の時の平面断面図）を嵌合した時の平面図であり、洗浄水噴出装置２用吐水管路開口部６２（例えば、ホース等の配管部材が結合できる形状にすると良い。又ホース等の配管部材で前洗浄用洗浄水噴出装置１２０に結合すると良い。）から洗浄水が噴出している状態を示した図である。
図９は一例の既存のノズルユニット１００に本発明の一実施例の洗浄水噴出装置用電動式四方弁１０（定位置２の時の平面断面図）を嵌合した時の平面図であり、肛門用洗浄水噴出装置１１０から洗浄水が噴出している状態を示した図である。
図１０は一例の既存のノズルユニット１００に本発明の一実施例の洗浄水噴出装置用電動式四方弁１０（定位置３の時の平面断面図）を嵌合した時の平面図であり、局部用洗浄水噴出装置１３０から洗浄水が噴出している状態を示した図である。
【００３９】
従来から使用されている既存のノズルユニット１００（一例）に本発明の一実施例の洗浄水噴出装置用電動式四方弁１０を嵌合し、電動機８０を回動させることにより、洗浄水噴出装置１（肛門用洗浄水噴出装置１１０）への洗浄水送水、洗浄水噴出装置２（洗浄水噴出装置２用吐水管路開口部６２、又は該吐水管路開口部６２からホース等の配管部材で結合された肛門用洗浄水噴出装置１１０及び／又は局部用洗浄水噴出装置１３０の洗浄水噴出を洗浄する洗浄水噴出装置１２０）への洗浄水送水、洗浄水噴出装置３（局部用洗浄水噴出装置１３０）への洗浄水送水の３段階切替操作が可能である。
【００４０】
不図示ではあるが同様に、従来から使用されている既存のノズルユニット１００（一例）に本発明の他実施例の洗浄水噴出装置用手動式四方弁１２を嵌合し、槓杆９０を回動させることにより、洗浄水噴出装置１（肛門用洗浄水噴出装置１１０）への洗浄水送水、洗浄水噴出装置２（洗浄水噴出装置２用吐水管路開口部６２、又は該吐水管路開口部６２からホース等の配管部材で結合された肛門用洗浄水噴出装置１１０及び／又は局部用洗浄水噴出装置１３０の洗浄水噴出を洗浄する洗浄水噴出装置１２０）への洗浄水送水、洗浄水噴出装置３（局部用洗浄水噴出装置１３０）への洗浄水送水の３段階切替操作が可能である。
【００４１】
本発明の洗浄水噴出装置用四方弁においては、直動弁方式の電磁式三方弁を二つ使用していた場合に比べ２分の１〜３分の１以下のコストになり、ディスク弁方式の電動式四方弁では洗浄水の切替不良等の水密性、故障等の信頼性等に比べ１０〜５０倍以上の耐久実績が得られている。
【００４２】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【００４３】
例えば、電動機においては、直流モータ、交流モータ、パルスモータ、ステッピングモータ、減速機付きモータ、モータと減速機等との個別機能（機構）の組合せ、スリップ機構付きモータ、磁気クラッチ機構付きモータ、エンコーダ機構付きモータ等、回動杆を機械的に回動駆動できるものであれば特にその手段は問わない。
【００４４】
【発明の効果】
本発明の洗浄水噴出装置用四方弁においては、スプール弁の圧縮型環状封密弾性体の摺動による肛門用洗浄水噴出装置、局部用洗浄水噴出装置、前洗浄用洗浄水噴出装置への洗浄水の送水切替えにより、コスト、水密性及び信頼性が改善できるという効果を奏する。
【００４５】
又、本発明の洗浄水噴出装置用四方弁においては、局部洗浄装置の仕様等により、電動式四方弁又は手動式四方弁が選択できるという効果を奏する。
【図面の簡単な説明】
【図１】本発明の一実施例の洗浄水噴出装置用電動式四方弁の定位置１の時の平面断面図である。
【図２】本発明の一実施例の洗浄水噴出装置用電動式四方弁の定位置２の時の平面断面図である。
【図３】本発明の一実施例の洗浄水噴出装置用電動式四方弁の定位置３の時の平面断面図である。
【図４】本発明の一実施例の洗浄水噴出装置用電動式四方弁の定位置１の時の背面断面図である。
【図５】本発明の一実施例の洗浄水噴出装置用電動式四方弁の定位置２の時の背面断面図である。
【図６】本発明の一実施例の洗浄水噴出装置用電動式四方弁の定位置３の時の背面断面図である。
【図７】一例の既存のノズルユニットの平面図である。
【図８】一例の既存のノズルユニットに本発明の一実施例の洗浄水噴出装置用電動式四方弁（定位置１の時の平面断面図）を嵌合した時の平面図であり、洗浄水噴出装置２用吐水管路開口部から洗浄水が噴出している状態を示した図である。
【図９】一例の既存のノズルユニットに本発明の一実施例の洗浄水噴出装置用電動式四方弁（定位置２の時の平面断面図）を嵌合した時の平面図であり、肛門用洗浄水噴出装置から洗浄水が噴出している状態を示した図である。
【図１０】一例の既存のノズルユニットに本発明の一実施例の洗浄水噴出装置用電動式四方弁（定位置３の時の平面断面図）を嵌合した時の平面図であり、局部用洗浄水噴出装置から洗浄水が噴出している状態を示した図である。
【図１１】本発明の他実施例の洗浄水噴出装置用手動式四方弁の定位置１の時の平面断面図である。
【符号の説明】
１０…洗浄水噴出装置用電動式四方弁、１１…洗浄水の流れ（方向）、１２…洗浄水噴出装置用手動式四方弁、１３…洗浄水噴出装置内の洗浄水の流れ（方向）、２０…弁本体、３０…略洋杯状の弁操作体、３１…連結環嵌合孔、３２…洗浄水噴出装置３用吐水管路開口部、４０…管状の弁切替体、４１…連結環嵌合孔、４２…流入開口部、４３…洗浄水噴出装置１用吐水管路開口部、４４…嵌合孔、５０…連結環、５１…圧縮型環状封密弾性体、６０…洗浄水噴出装置２用吐水管路開口部部材、６１…圧縮型環状封密弾性体、６２…洗浄水噴出装置２用吐水管路開口部、６３…圧縮型環状封密弾性体、７０…スプール弁、７１…回動杆、７２…回動杆突起、７３…圧縮型環状封密弾性体、７４…節付円筒杆、７５…螺旋形凹溝、７６…圧縮型環状封密弾性体、７７…Ｅリング〔抜止具〕、８０…電動機、８１…駆動ギヤ、８２…従動ギヤ、８３…固定螺子、９０…槓杆、９１…固定螺子、９２…螺子蓋、９３…槓杆カバー、１００…既存のノズルユニット、１１０…洗浄水噴出装置１〔肛門用洗浄水噴出装置〕、１１１…流入口、１１２…肛門用ノズル、１１３…ノズル孔、１２０…洗浄水噴出装置２〔前洗浄用洗浄水噴出装置〕、１２１…ノズル（ホース等）、１３０…洗浄水噴出装置３〔局部用洗浄水噴出装置〕、１３１…流入口、１３２…局部用ノズル、１３３…ノズル孔、１４０…圧縮型環状封密弾性体
【図１】
0003620705.tif 000002
【図２】
0003620705.tif 000003
【図３】
0003620705.tif 000004
【図４】
0003620705.tif 000005
【図５】
0003620705.tif 000006
【図６】
0003620705.tif 000007
【図７】
0003620705.tif 000008
【図８】
0003620705.tif 000009
【図９】
0003620705.tif 000010
【図１０】
0003620705.tif 000011
【図１１】
0003620705.tif 000012